(57)【特許請求の範囲】
【請求項１】
互いに側壁が当接するように並設された、組み立てられた状態の小型折り畳みコンテナーの上に段積みされる折り畳みコンテナーにおいて、底部裏面には、底部長側壁に平行な底部リブと底部短側壁に平行な底部リブとからなるとともに凹溝を挟んで位置する嵌合部分からなる嵌合部が形成されているとともに、前記嵌合部を構成する嵌合部分の前記底部リブの高さを、前記嵌合部分の中央領域において、低くするか、或いは、中央領域において、前記底部リブを省略し、また、前記底部リブの間隔を、前記嵌合部分の周縁部分において、前記嵌合部の中央領域より狭くし、更に、前記嵌合部分間に形成された凹溝の両端部の幅より、該両端部を除く中央部領域の幅を広く形成したことを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図３に示されているように、平面形状が略長方形に形成された合成樹脂で一体に成形された底部１の相対する長辺に、ヒンジ部を介して連結された、同じく合成樹脂で一体に成形された長側壁２と、底部１の相対する短辺に、ヒンジ部を介して連結された、同じく合成樹脂で一体に成形された短側壁３とからなる折り畳みコンテナー（以下、大型折り畳みコンテナーという。）Ｃ１が知られており、また、上記の底部１より小さな、平面形状が略長方形に形成された合成樹脂で一体に成形された底部１０の相対する長辺に、ヒンジ部を介して連結された、上記の短側壁３と略同じ長さを有する、同じく合成樹脂で一体に成形された長側壁２０と、底部１０の相対する短辺に、ヒンジ部を介して連結された、上記の長側壁２の長さの略半分の長さを有する、同じく合成樹脂で一体に成形された短側壁３０とからなる折り畳みコンテナー（以下、小型折り畳みコンテナーという。）Ｃ１０が知られている。
【０００３】
大型折り畳みコンテナーＣ１及び小型折り畳みコンテナーＣ１０は、共に、図３に示されている箱型に組み立てられた状態から、短側壁３、３０を内側に倒して、底部１、１０の上に重ね、次いで、同じく、長側壁２、２０を内側に倒して、底部１、１０及び短側壁３、３０の上に重ねることにより折り畳まれるように構成されている。
【０００４】
組み立てられた状態の大型折り畳みコンテナーＣ１の長側２及び短側壁３の上端部の内側角部には、それぞれ、切り欠き段部２ａ、３ａが形成されており、同様に、組み立てられた状態の小型折り畳みコンテナーＣ１０の長側壁２０及び短側壁３０の上端部の内側角部にも、それぞれ、切り欠き段部２０ａ、３０ａが形成されている。また、大型折り畳みコンテナーＣ１の底部１の裏面には、段積みした際に、下に位置する組み立てられた状態の大型折り畳みコンテナーＣ１の長側壁２の切り欠き段部２ａ及び短側壁３の切り欠き段部３ａに嵌合される後述する嵌合部が、底部１の周壁１ａの下端１ａ’を越えて下方に延在するように形成されている。小型折り畳みコンテナーＣ１０の底部１０の裏面にも、同様の嵌合部が、底部１０の周壁１０ａの下端１０ａ’を越えて下方に延在するように形成されている。
【０００５】
なお、大型折り畳みコンテナーＣ１の底部１の長辺側の側壁（以下、底部長側壁という。）１ｂの高さは、短辺側の側壁（以下、底部短側壁という。）１ｃの高さより高く形成されており、同様に、小型折り畳みコンテナーＣ１０の底部１０の長辺側の側壁（以下、底部長側壁という。）１０ｂの高さも、短辺側の側壁（以下、底部短側壁という。）１０ｃの高さより高く形成されている。
【０００６】
大型折り畳みコンテナーＣ１の裏面斜視図である図４に示されているように、底部１の裏面には、大型折り畳みコンテナーＣ１同士を段積みした際に、下に位置する組み立てられた状態の大型折り畳みコンテナーＣ１の長側壁２の切り欠き段部２ａ及び短側壁３の切り欠き段部３ａに嵌合される嵌合部１ｄが形成されており、嵌合部１ｄは、底部１の周壁１ａの下端１ａ’を越えて下方に延在するように構成されている。また、大型折り畳みコンテナーＣ１の底部１の裏面に突設された嵌合部１ｄの底部短側壁１ｃに平行な中央領域には、図３に示されているように、長側壁２０が当接するように配置された２個の小型折り畳みコンテナーＣ１０の上に、大型折り畳みコンテナーＣ１を段積みした際に、当接した２個の小型折り畳みコンテナーＣ１０の長側壁２０の上端部が挿入される、一定幅Ｗ１を有する凹溝１ｅが形成されており、従って、嵌合部１ｄは、凹溝１ｅを挟んで、２個の嵌合部分１ｄ’により構成されていることになる。そして、図３に示されているように、長側壁２０が当接するように配置された２個の小型折り畳みコンテナーＣ１０の上に、大型折り畳みコンテナーＣ１を段積みした際には、下に位置する２個の小型折り畳みコンテナーＣ１０の開口に、上に位置する大型折り畳みコンテナーＣ１の底部１の裏面に形成された２個の嵌合部分１ｄ’が、それぞれ、嵌合するように構成されている。
【０００７】
また、大型折り畳みコンテナーＣ１の底部１の裏面に形成された嵌合部１ｄを構成する嵌合部分１ｄ’の裏面には、底部長側壁１ｂに平行で、等間隔に形成された底部リブ４ａと、底部短側壁１ｃに平行で、同じく等間隔に形成された底部リブ４ｂとからなる底部交叉リブ４が形成されている。そして、底部交叉リブ４を構成する底部長側壁１ｂに平行な底部リブ４ａと、底部短側壁１ｃに平行な底部リブ４ｂの高さは、全て、同じに形成されており、また、底部長側壁１ｂに平行な底部リブ４ａの下端と、底部短側壁１ｃに平行な底部リブ４ｂの下端とは、１の仮想水平面に対して面一に形成されている。
【０００８】
【発明が解決しようとする課題】
従来の大型折り畳みコンテナーＣ１の底部１の裏面に形成された嵌合部１ｄを構成する嵌合部分１ｄ’の裏面に形成されている、底部交叉リブ４を構成する底部長側壁１ｂに平行な底部リブ４ａと、底部短側壁１ｃに平行な底部リブ４ｂとは、全て、同じ高さに形成されているので、大型折り畳みコンテナーＣ１の重量が増加するという問題があった。
【０００９】
また、従来の大型折り畳みコンテナーＣ１の底部１の裏面に形成された嵌合部１ｄを構成する嵌合部分１ｄ’の裏面に形成されている底部長側壁１ｂに平行な底部リブ４ａと、底部短側壁１ｃに平行な底部リブ４ｂとは、全て、同じ高さに形成されているので、射出形成等により成形された大型折り畳みコンテナーＣ１の冷却過程において、底部１の中央部が下方に膨出するように変形したような場合には、床やパレット等に載置された大型折り畳みコンテナーＣ１が、ぐらついたり、膨出した中央部を中心に回動したりして、安定した状態で、床やパレット等に載置されないという問題があった。
【００１０】
更に、図３に示されているように、長側壁２０が当接するように配置された２個の小型折り畳みコンテナーＣ１０の上に、大型折り畳みコンテナーＣ１を段積みすることが行われており、この段積み作業の際には、上述したように、当接した２個の小型折り畳みコンテナーＣ１０の長側壁２０の上端部が、大型折り畳みコンテナーＣ１の底部１の裏面に突設された嵌合部１ｄに形成された凹溝１ｅに挿入されるように構成されている。しかしながら、小型折り畳みコンテナーＣ１０の射出成形後の冷却過程において、図５に示されているように、長側壁２０の中央部付近が、小型折り畳みコンテナーＣ１０の内側に膨出変形することがあり、このように、長側壁２０の中央部付近に、小型折り畳みコンテナーＣ１０の内側に膨出した膨出変形部２０’が形成されると、長側壁２０が当接するように配置された２個の小型折り畳みコンテナーＣ１０の長側壁２０の略中央部の全体幅Ｗ２が、大型折り畳みコンテナーＣ１の底部１裏面に突設された嵌合部１ｄに形成された凹溝１ｅの幅Ｗ１より広くなり、従って、当接した２個の小型折り畳みコンテナーＣ１０の長側壁２０の上端部が、大型折り畳みコンテナーＣ１の底部１裏面に突設された嵌合部１ｄに形成された凹溝１ｅに挿入されないという問題があった。
【００１１】
本発明の目的は、上述した従来の折り畳みコンテナーが有する課題を解決することにある。
【００１２】
【課題を解決するための手段】
本発明は、上述した目的を達成するために、互いに側壁が当接するように並設された、組み立てられた状態の小型折り畳みコンテナーの上に段積みされる折り畳みコンテナーにおいて、底部裏面には、底部長側壁に平行な底部リブと底部短側壁に平行な底部リブとからなるとともに凹溝を挟んで位置する嵌合部分からなる嵌合部が形成されているとともに、前記嵌合部を構成する嵌合部分の前記底部リブの高さを、前記嵌合部分の中央領域において、低くするか、或いは、中央領域において、前記底部リブを省略し、また、前記底部リブの間隔を、前記嵌合部分の周縁部分において、前記嵌合部の中央領域より狭くし、更に、前記嵌合部分間に形成された凹溝の両端部の幅より、該両端部を除く中央部領域の幅を広く形成したものである。
【００１３】
【実施例】
以下に、本発明の実施例について説明するが、本発明の趣旨を越えない限り何ら、本実施例に限定されるものでない。なお、上述した従来の大型折り畳みコンテナーと同じ構成部材については、同じ符号が使用されており、また、その詳細な説明は省略する。
【００１４】
本実施例の大型折り畳みコンテナーＣ１においては、大型折り畳みコンテナーＣ１の底部１の裏面に形成された嵌合部１ｄを構成する嵌合部分１ｄ’の裏面に形成されている、底部交叉リブ４を構成する底部長側壁１ｂに平行な底部リブ４ａと、底部短側壁１ｃに平行な底部リブ４ｂとの高さを、嵌合部分１ｄ’の中央領域Ａにおいて、低くするか、或いは、嵌合部分１ｄ’の中央領域Ａにおいては、このような底部リブ４ａ、４ｂを省略したものである。このように構成することにより、大型折り畳みコンテナーＣ１の重量を低減することができる。
【００１５】
また、上述したように、大型折り畳みコンテナーＣ１の底部１の裏面に形成された嵌合部１ｄを構成する嵌合部分１ｄ’の裏面に形成されている底部長側壁１ｂに平行な底部リブ４ａと、底部短側壁１ｃに平行な底部リブ４ｂとの高さを、嵌合部分１ｄ’の中央領域Ａにおいて、低くするか、或いは、嵌合部分１ｄ’の中央領域Ａにおいては、このような底部リブ４ａ、４ｂを省略すると、底部１ひいては大型折り畳みコンテナーＣ１の強度や剛性が低下するので、このような底部１の強度や剛性の低下を抑制するために、底部１裏面に形成された嵌合部分１ｄ’の裏面に垂設された底部交叉リブ４の間隔が、嵌合部分１ｄ’の周縁部分において、狭く形成されている。図１及び図２に示されている実施例においては、嵌合部分１ｄ’の輪郭を形成するリブ、即ち、底部交叉リブ４の最も外側に位置する底部長側壁１ｂに平行な底部リブ４ａ１と該底部リブ４ａ１に隣接する底部長側壁１ｂに平行な底部リブ４ａ２との間隔Ｐ１が、他の底部長側壁１ｂに平行な底部リブ４ａの間隔Ｐ２より狭く形成されており、また、底部交叉リブ４の最も外側に位置する底部短側壁１ｃに平行な底部リブ４ｂ１と該底部リブ４ｂ１に隣接する底部短側壁１ｃに平行な底部リブ４ｂ２との間隔Ｐ３が、他の底部短側壁１ｃに平行な底部リブ４ｂの間隔Ｐ４より狭く形成されている。
【００１６】
上述したように、底部１の裏面に形成された嵌合部分１ｄ’の裏面に垂設された底部交叉リブ４の間隔を、嵌合部分１ｄ’の周縁部分において、中央領域Ａ等の他の部分より狭く形成したことにより、嵌合部分１ｄ’の裏面に形成されている底部長側壁１ｂに平行な底部リブ４ａと、底部短側壁１ｃに平行な底部リブ４ｂとの高さを、嵌合部分１ｄ’の中央領域Ａにおいて、低くするか、或いは、嵌合部分１ｄ’の中央領域Ａにおいては、このような底部リブ４ａ、４ｂを省略することにより生ずる、底部１の強度や剛性の低下、ひいては、大型折り畳みコンテナーＣ１の強度や剛性の低下を補償することができる。
【００１７】
上述した実施例においては、底部交叉リブ４の最も外側に位置する底部長側壁１ｂに平行な底部リブ４ａ１と該底部リブ４ａ１に隣接する底部長側壁１ｂに平行な底部リブ４ａ２との間隔Ｐ１を、他の底部長側壁１ｂに平行な底部リブ４ａの間隔Ｐ２より狭く形成するとともに、同時に、底部交叉リブ４の最も外側に位置する底部短側壁１ｃに平行な底部リブ４ｂ１と該底部リブ４ｂ１に隣接する底部短側壁１ｃに平行な底部リブ４ｂ２との間隔Ｐ３を、他の底部短側壁１ｃに平行な底部リブ４ｂの間隔Ｐ４より狭く形成した例が示されているが、何方か一方の間隔のみを、狭く形成することもできる。
【００１８】
また、本実施例においては、大型折り畳みコンテナーＣ１の底部１の裏面に突設された嵌合部１ｄに形成された凹溝１ｅの間隔を、その両端部においては、上述した従来のように、当接した２個の小型折り畳みコンテナーＣ１０の長側壁２０の上端部の全体幅Ｗ３より、若干、広く形成するとともに、その両端部を除く、中央部領域においては、図５に示されているように、小型折り畳みコンテナーＣ１０の内側に膨出した膨出変形部２０’を考慮して、膨出変形部２０’の全体幅Ｗ２より広い幅Ｗ４に形成されている。このように構成することにより、小型折り畳みコンテナーＣ１０の射出成形後の冷却過程において、長側壁２０の中央部付近が、小型折り畳みコンテナーＣ１０の内側に膨出変形しても、並設された２個の小型折り畳みコンテナーＣ１０の上に、大型折り畳みコンテナーＣ１を、安定した状態で、段積みすることができる。
【００１９】
上述した実施例には、組み立てられた状態の小型折り畳みコンテナーＣ１０が、２個並設された上に、大型折り畳みコンテナーＣ１を段積みした例が示されているが、下に配置される小型折り畳みコンテナーＣ１０は、３個でもよく、３個の場合には、大型折り畳みコンテナーＣ１の底部１の裏面に突設された嵌合部１ｄに形成される凹溝１ｅの数は、２本であり、同様に、下に配置される小型折り畳みコンテナーＣ１０が、４個以上の場合には、上記の凹溝１ｅの数は、３本以上となる。
【００２０】
【発明の効果】
本発明は、以上説明した構成を有しているので、以下に記載する効果を奏するものである。
【００２１】
底部裏面に突設された嵌合部に垂設されている底部交叉リブの高さを、嵌合部の中央領域において、低くするか、或いは、中央領域において、このような底部交叉リブを省略したので、折り畳みコンテナーの重量を低減できる。
【００２２】
また、底部裏面に突設された嵌合部に垂設されている底部交叉リブの高さを、嵌合部の中央領域において、低くするか、或いは、中央領域において、このような底部交叉リブを省略したので、従来の折り畳みコンテナーのように、膨出した底部中央部により、床やパレット等に載置された折り畳みコンテナーが、ぐらついたり、膨出した中央部を中心に回動したりするようなことがなく、従って、折り畳みコンテナーを、安定した状態で、床やパレット等に載置することができる。
【００２３】
嵌合部の裏面に垂設された底部交叉リブの間隔を、嵌合部の周縁部分において、嵌合部の中央領域より狭くしたので、底部交叉リブの高さを、嵌合部の中央領域において、低くするか、或いは、中央領域において、このような底部交叉リブを省略したことにより生ずる、底部ひいては折り畳みコンテナーの強度や剛性の低下を補償することができる。
【００２４】
底部の裏面に突設された嵌合部に形成された凹溝の両端部の幅より、前記両端部を除く中央部領域の幅を広く形成したので、上に位置する並設された２個の小型折り畳みコンテナーの当接する側壁の中央部付近が膨出変形しても、並設された２個の小型折り畳みコンテナーの上に、折り畳みコンテナーを、安定した状態で、段積みすることができる。
【図面の簡単な説明】
【図１】図１は折り畳まれた状態の本発明の折り畳みコンテナーの裏面斜視図である。
【図２】図２は折り畳まれた状態の本発明の折り畳みコンテナーの裏面図である。
【図３】図３は２つの小型折り畳みコンテナーと従来の折り畳みコンテナーとの段積みを説明するための斜視図である。
【図４】図４は折り畳まれた状態の従来の折り畳みコンテナーの裏面斜視図である。
【図５】図５は長側壁が当接するように並設された２つの小型折り畳みコンテナーの平面図である。
【符号の説明】
Ｃ１・・・・・・・・・・・折り畳みコンテナー
Ｃ１０・・・・・・・・・・小型折り畳みコンテナー
１・・・・・・・・・・・・底部
１ｄ・・・・・・・・・・・嵌合部
１ｅ・・・・・・・・・・・凹溝
４・・・・・・・・・・・・底部交叉リブ
【図１】
0003677439.tif 000002
【図２】
0003677439.tif 000003
【図３】
0003677439.tif 000004
【図４】
0003677439.tif 000005
【図５】
0003677439.tif 000006